(57)【要約】【課題】  互いに直交するウェブ及びフランジを有する柱材に内壁の壁下地材を固定するとともに、壁下地材の建ちを容易に調整できる壁下地材の固定構造及びその施工法を提供することを目的とする。【解決手段】  壁下地材の固定構造１は、互いに直交するフランジ２１及びウェブ２２を有する柱材２のフランジ２１と、内壁３の壁下地材４と、を固定金具５で固定する構造であって、固定金具５は、フランジ２１に嵌着する切込み溝５１１を形成した平板からなる嵌着部５１と、切込み溝５１１と直交する方向に壁下地材４を嵌め込んで支持する嵌め込み部５２１を有する支持部５２と、嵌着部５１及び支持部５２を連結するとともに支持部５２に嵌め込んだ壁下地材４の内壁３の面外方向への出入を調整する調整ボルト５３と、を有し、切込み溝５１１は、切込みの互いに対向する一対の端面を切込みの基端から先端に向かって互いに近接する方向へ同一の角度で傾斜させている。【選択図】図９
2019124060.tif 000002
【特許請求の範囲】
【請求項１】
互いに直交するフランジ及びウェブを有する形鋼で形成された柱材の前記フランジと、内壁の壁面を形成する内壁ボード材の裏側面に垂直方向に固定している長尺な壁下地材と、を固定金具で固定する壁下地材の固定構造であって、
前記固定金具は、前記フランジに嵌着する切込み溝を形成した２つの平行な平板からなる嵌着部と、前記切込み溝と直交する方向に前記壁下地材を嵌め込んで支持する嵌め込み部を有する支持部と、前記嵌着部及び前記支持部を連結するとともに前記支持部に嵌め込んだ前記壁下地材の内壁の面外方向への出入を調整する調整ボルトと、を有し、
前記切込み溝は、切込みの互いに対向する一対の端面を切込みの基端から先端に向かって互いに近接する方向へ同一の角度で傾斜させていることを特徴とする壁下地材の固定構造。
【請求項２】
前記切込み溝は、前記切込みの先端部分の幅を前記フランジの板厚よりも狭く形成し、前記切込みの基端部分の幅を前記フランジの板厚と略同一とすることを特徴とする請求項１に記載の壁下地材の固定構造。
【請求項３】
前記固定金具は、前記柱材の前記フランジの長手方向へ互いに間隔を空けて複数設置されることを特徴とする請求項１又は請求項２に記載の壁下地材の固定構造。
【請求項４】
前記調整ボルトは、先端側の小口面に十字形に切込んだ十字穴を設けることを特徴とする請求項１から請求項３のいずれかに記載の壁下地材の固定構造。
【請求項５】
前記調整ボルトは、前記支持部の該調整ボルトからの脱落を防止する抜止め部を先端部に形成されることを特徴とする請求項１から請求項４のいずれかに記載の壁下地材の固定構造。
【請求項６】
請求項１から請求項５のいずれかに記載の固定金具を用いて、内壁の壁下地材をＨ形鋼で形成された柱材に固定する壁下地材の固定施工方法であって、
垂直方向へ長尺な前記壁下地材を前記ウェブと間隔を空けて配設し、前記嵌着部の前記切込み溝を前記フランジに嵌着して、前記壁下地材を前記支持部に嵌め込んで固定し、
前記調整ボルトを回転操作して前記支持部及び該支持部に嵌め込まれた前記壁下地材の前記内壁の面外方向への出入を調整した後に、
前記壁下地材の下端部を床下地材に固定することを特徴とする壁下地材の固定施工方法。
【発明の詳細な説明】
【技術分野】
【０００１】
この発明は、内壁の壁下地材を互いに直交するウェブ及びフランジを有する形鋼で形成された柱材に固定する壁下地材の固定構造とその施工方法に関する。
【背景技術】
【０００２】
従来より断熱材を固定した鉄骨柱の周りに内壁を形成する場合、図１３に示すように、内壁Ｘの壁下地材Ｘ１を断熱材Ｙ及び鉄骨柱Ｚと干渉しないように内壁Ｘの面外方向へ持ち出して設置し、断熱効率を低下させないように断熱材Ｙを連続させることが一般的である。しかしながらこの場合、壁が室内側へ張り出すため室内が狭くなるという問題があった。そこで、鉄骨柱周りの断熱材を断熱効率を低下させないように連続させ、且つ、内壁の木製下地材を内壁の面外方向へ持ち出すことなく鉄骨柱に固定可能な金具が提案されている。（特許文献１）
【０００３】
また、矩形に枠組みされた内壁の木製下地枠を鉄骨柱ではなく鉄骨梁などの横架材に固定可能な金具が発明されている。この金具は、木製下地枠の上端部に嵌め込む溝型に形成された金具本体と、横架材のフランジ部に噛合固定する噛合部を有する固定部材と、金具本体及び固定部材を連結する調整ボルトと、を有しており、木製下地枠を鉄骨柱へ固定することなく内壁を形成することができる。また、調整ボルトを室内側から回転操作することにより木製下地枠の内壁の面外方向への出入を調整することができる。（特許文献２）
【先行技術文献】
【特許文献】
【０００４】
【特許文献１】特開平８−１３６５１
【特許文献２】特開平１１−９３３０２
【発明の概要】
【発明が解決しようとする課題】
【０００５】
しかしながら、特許文献１に記載の金具は、鉄骨柱のフランジに挟着して木製下地材側に突き出した当接部を木製下地材にビス固定しているだけであり、木製下地材の建ちや通りを修正する調整機能が備わっていないため、各所で施工誤差が生じても誤差を吸収することができず、内壁の施工精度が低下する可能性がある。
【０００６】
一方、特許文献２に記載の金具は、木製下地枠の内壁の面外方向への出入を調整できるものの、横架材のみに設置しているため木製下地枠の中間部で反りが発生した場合、木製下地枠の建ちや通りを修正することができない。そして、鉄骨柱の周りに木製下地枠を設置する場合、鉄骨柱とその上部に配置される鉄骨梁との接合部には金具を取り付けるための十分なスペースを確保することが難しいため、この金具は鉄骨柱の立設されていない部位にのみしか使用することができない。
【０００７】
そこで、本発明は、上述した課題を鑑みてなされたものであり、内壁の壁下地材を互いに直交するウェブ及びフランジを有する形鋼で形成された柱材に強固に固定するとともに柱材周りの断熱材を連続させ、また、壁下地材の建ちや通りを容易に調整可能な壁下地材の固定構造及びその施工方法を提供することを目的とする。
【課題を解決するための手段】
【０００８】
本発明の第１の壁下地材の固定構造は、互いに直交するウェブ及びフランジを有する形鋼で形成された柱材の前記フランジと、内壁の壁面を形成する内壁ボード材の裏側面で垂直方向に固定している長尺な壁下地材と、を固定金具で固定する壁下地材の固定構造であって、前記固定金具は、前記フランジに嵌着する切込み溝を形成した２つの平行な平板からなる嵌着部と、前記切込み溝と直交する方向に前記壁下地材を嵌め込んで支持する嵌め込み部を有する支持部と、前記嵌着部及び前記支持部を連結するとともに前記支持部に嵌め込んだ前記壁下地材に固定された前記内壁の面外方向への出入を調整する調整ボルトと、を有し、前記切込み溝は、切込みの互いに対向する一対の端面を切込みの基端から先端に向かって互いに近接する方向へ同一の角度で傾斜させていることを特徴としている。
【０００９】
本発明の第２の壁下地材の固定構造は、前記切込み溝が、前記切込みの先端部分の幅を前記フランジの板厚よりも狭く形成し、前記切込みの基端部分の幅を前記フランジの板厚と略同一とすることことを特徴としている。
【００１０】
本発明の第３の壁下地材の固定構造は、前記固定金具が、前記柱材の前記フランジの長手方向へ互いに間隔を空けて複数設置されることを特徴といている。
【００１１】
本発明の第４の壁下地材の固定構造は、前記調整ボルトが、先端側の小口面に十字形に切込んだ十字穴を設けることを特徴としている。
【００１２】
本発明の第５の壁下地材の固定構造は、前記調整ボルトは、前記支持部の該調整ボルトからの脱落を防止する抜止め部を先端部に形成されることを特徴としている。
【００１３】
本発明の壁下地材の固定施工方法は、第１から第５のいずれかに記載の固定金具を用いて、内壁の壁下地材をＨ形鋼で形成された柱材に固定する壁下地材の固定施工方法であって、垂直方向へ長尺な前記壁下地材を前記ウェブと間隔を空けて配設し、前記嵌着部の前記切込み溝を前記フランジに嵌着して、前記壁下地材を前記支持部に嵌め込んで固定し、前記調整ボルトを回転操作して前記支持部及び該支持部に嵌め込まれた前記壁下地材の前記内壁の面外方向への出入を調整した後に、前記壁下地材の下端部を床下地材に固定することを特徴としている。
【発明の効果】
【００１４】
本発明の第１の壁下地材の固定構造によると、固定金具は、フランジに嵌着する嵌着部と、切込み溝と直交する方向に壁下地材を嵌め込んで支持する支持部と、嵌着部及び支持部を連結するとともに支持部に嵌め込んだ壁下地材の内壁の面外方向への出入を調整する調整ボルトを備えている。したがって、壁下地材を柱材に干渉しないように内壁の面内方向へ持ち出すことなく設置することができ、また、内壁の建ちや通りを修正して内壁の施工精度を向上させることができる。さらに、固定金具の嵌着部に設けられた切込み溝が、切込みの互いに対向する一対の端面を切込みの基端から先端に向かって互いに近接する方向へ同一の角度で傾斜させているので、嵌着部をハンマで柱材のフランジに打ち込むと、どちらか一方の端面のみが大きく変形して固定金具が斜めに傾くことがなく、一対の端面が均一に変形して固定金具を安定した状態で柱材に強固に固定することができる。
【００１５】
本発明の第２の壁下地材の固定構造によると、切込み溝は、切込みの先端部分の距離をフランジの板厚よりも狭く形成し、切込みの基端部分の幅をフランジの板厚と略同一としているので、嵌着部をハンマで柱材のフランジに打ち込むと、切込み溝の先端側がより強固にフランジを挟着することができ、固定金具の柱材からの脱落を防止できる。
【００１６】
本発明の第３の壁下地材の固定構造によると、固定金具は、柱材のフランジの長手方向へ互いに間隔を空けて複数設置されるので、調整ボルトを操作することにより、各々の固定金具の設置高さで支持部に嵌め込まれた壁下地材の内壁の面外方向への出入を調整することができる。したがって、各所で生じた施工誤差を吸収することができ、建ちや通りの調整された内壁を形成することができる。
【００１７】
本発明の第４の壁下地材の固定構造によると、調整ボルトは、先端側の小口面に十字形に切込んだ十字穴を設けているので、電動ドライバー等の工具を十字切込みに差し込んで調整ボルトを回転させることにより、容易に壁下地材の内壁の面外方向への出入を調整することができる。
【００１８】
本発明の第５の壁下地材の固定構造によると、調整ボルトは、支持部の調整ボルトからの脱落を防止する抜止め部を先端部に形成されるので、調整ボルトを回転させて支持部に嵌め込まれた壁下地材の出入を調整しても、支持部及び壁下地材が調整ボルトから脱落して不用意に嵌着部との連結が解除されることはない。
【００１９】
本発明の壁下地材の固定施工方法によると、固定金具の嵌着部をフランジに設置して壁下地材を支持部に嵌め込み、壁下地材の内壁の面外方向への出入を調整してから壁下地材の下端部を床下地材に固定するので、壁下地材の建ちや通りの調整された施工精度の高い内壁を形成することができる。
【図面の簡単な説明】
【００２０】
【図１】壁下地材の固定構造を示す水平断面図。
【図２】壁下地材の固定構造を示す斜視図。
【図３】固定金具を示す斜視図。
【図４】固定金具を示す側面図。
【図５】固定金具を示す背面図。
【図６】固定金具を示す平面図。
【図７】抜止め部を形成した調整ボルトを有した固定金具を示す平面図。
【図８】図６のＡ−Ａ断面図。
【図９】切込み溝の一対の端面を示す斜視図。
【図１０】調整ボルトを回転操作した場合の支持部の動きを示す側面図。
【図１１】（ａ）  固定金具を柱材に設置する様子を示す斜視図。
【図１１】（ｂ）  壁下地材を固定金具に設置する様子を示す斜視図。
【図１２】壁下地材の下端部を床下地材に固定する様子を示す断面図。
【図１３】柱材を避けてスタッド材を設置した場合を示す平面図。
【発明を実施するための形態】
【００２１】
以下、壁下地材の固定構造の最良の実施形態について各図を参照しつつ説明する。本願の壁下地材の固定構造は、主にＨ形鋼で形成された柱材のフランジ間に内壁の壁下地材を固定する際に用いられる構造である。なお、本願の壁下地材の固定構造は、柱材が互いに直交するウェブ及びフランジを有する形鋼であれば適用することができるが、ここでは柱材がＨ形鋼である場合について説明する。
【００２２】
壁下地材の固定構造１は、図１に示すように、Ｈ形鋼で形成された柱材２のフランジ２１と、内壁３の壁面を形成する内壁ボード材３１の裏側面に垂直方向に固定している長尺な壁下地材４と、を固定金具５で固定する構造である。
【００２３】
Ｈ形鋼で形成される柱材２は、図１及び図２に示すように、互いに直交するフランジ２１及びウェブ２２を有し、下端にベースプレート２３を溶接して基礎Ｆの上面に立設している。なお、図示例では柱材２を１階に設置する柱材として基礎Ｆに立設しているが、柱材２は２階以上の階に設置される柱材でもよく、その場合は柱材２の下端にベースプレート２３は溶接されない。また、柱材２の上端には梁材６が柱材２に直交した状態で載置されており、柱材２及び梁材６は、ガセットプレート６１によって接合されている。そして柱材２の周囲には、グラスウールを防水防湿シートで包んで形成された弾性変形可能な断熱ボード７が設置されている。内壁３は建物の室内に面して形成される壁で、図１に示すように、木製の角材で形成された壁下地材４と、壁下地材４に固定される板状の内壁ボード材３１によって構成される。壁下地材４の大きさは特に限定されないが、図２に示すように、その長さは柱材２の全長と略同一に形成される。
【００２４】
図１及び図３に示すように、固定金具５は、２枚の平行な平板を切込んで設けた２つの切込み溝５１１をフランジ２１に嵌着する嵌着部５１と、前記切込み溝５１１と直交する方向に壁下地材４を嵌め込んで支持する嵌め込み部５２１を有する支持部５２と、嵌着部５１及び支持部５２を切込み溝５１１と嵌め込み部５２１との開口方向とが互いに直交する方向となるように連結するとともに支持部５２の内壁３の面外方向への出入を調整する調整ボルト５３と、を有している。
【００２５】
嵌着部５１は、図３から図６に示すように、１枚の鋼板を略Ｃ形状に折り曲げて形成した若干のバネ性を有する部材で、板厚方向へ貫通する第１貫通孔５１０を設けた第１板片５１ａと、第１板片５１ａの両端を略直角に折り曲げて形成し、相対向する一対の平行な第２板片５１ｂと、一対の第２板片５１ｂの先端を互いに近接する方向へ折り曲げて形成される一対の第３板片５１ｃと、によって構成される。
【００２６】
第２板片５１ｂは、図３に示すように、一端が第１板片５１ａよりも突出して形成されており、この突出した部分に前記第３板片５１ｃと反対の方向へ開く前記切込み溝５１１を設けている。この切込み溝５１１は、図９に示すように、切込みの互いに対向する端面５１２を切込みの基端から開放側の先端に向かって互いに近接する方向へ同一の角度αで傾斜させており、切込みの先端部分の幅Ｗ１を図１０に示すフランジ２１の板厚ｔよりも狭く形成し、また、基端部分の幅Ｗ２をフランジ２１の板厚ｔと略同一に形成している。そして、図６に示すように、一対の前記第３板片５１ｃは、その基端を互いに離間しており、離間した部分の隙間から調整ボルト５３を操作することができる。
【００２７】
図３及び図４に示すように、支持部５２は、鋼板をＬ形状に折り曲げた第１支持部５２ａと、第１支持部５２ａよりも厚さの薄い金板をＬ形状に折り曲げた第２支持部５２ｂと、を接合することによって構成される。第１支持部５２ａは、図３及び図１０に示すように、鋼板の一端側の両端部を直角に折り曲げて形成した２つの第１当接片５２ｃと、２つの第１当接片５２ｃに挟まれた部分を鋼板の中央部に入り込んで第１当接片５２ｃと反対方向へ略直角に折り曲げた立上げ片５２ｄと、鋼板の折り曲げていない平板部分である第２当接片５２ｅで構成される。
【００２８】
第２支持部５２ｂは、図３及び図１０に示すように、壁下地材４を支持部５２に嵌め込んだ際に壁下地材４のウェブ２２と反対側の側面に当接し、壁下地材４を固定するためのビスを挿通する複数のビス孔５２２を設けた第３当接片５２ｆと、第３当接片５２ｆの一端を略直角に折曲し、第２当接片５２ｅと重ね合わせて結合される結合片５２ｇと、によって構成される。第２支持部５２ｂは、図１に示すように、内壁ボード材３１を壁下地材４に固定した際に第３当接片５２ｆが内壁ボード材３１に直接当接するため、内壁ボード材３１の建ちが傾かないよう薄い金板で形成されており、その厚さは例えば０．４ｍｍ程度で形成することができる。このように構成される第１支持部５２ａ及び第２支持部５２ｂは、図４に表れているように、お互いの入隅を向かい合わせた状態で結合片５２ｇを第２当接片５２ｅの上に重ね合わせ、結合片５２ｇ及び第２当接片５２ｅをバーリング加工してかしめる（５２ｈ）ことにより結合することができる。なお、第３当接片５２ｆに形成されるビス孔５２２は、一方向に細長な長孔としてもよい。
【００２９】
調整ボルト５３は、図５から図８に示すように、外周面に雄ねじを形成するとともに、小口面に十字穴５３ａを形成した低頭ボルトで、嵌着部５１及び支持部５２を連結している。具体的には、図３に示すように、嵌着部５１の第１板片５１ａを支持部５２の第１当接部５２ｃの方向へ向けた状態で、第２板片５１ｂの第１板片５１ａから突出していない方の縁端を結合片５２ｇに当接する。そして、図８に示すように、調整ボルト５３を第１板片５１ａの第１貫通孔５１０、第１ナット５４、立上げ片５２ｄの略中央に形成され、バーリング加工されて内周面に雌ねじを設けた第２貫通孔５２０の順に挿通及び螺合し、ナット５４を締付方向へ回転させて嵌着部５１及び支持部５２を連結固定する。また、調整ボルト５３は、図７（ａ）及び（ｂ）に示すように、抜止め部５３０を先端部に形成することにより、立上げ片５２ｄの調整ボルト５３からの脱落を防止することができる。抜止め部５３０は、例えば、図７（ａ）に示す調整ボルト５３の径方向に凹凸加工を施したものや、図７（ｂ）に示す雄ねじにキャップを外嵌したものとすることができる。
【００３０】
このように構成される固定金具５は、図１０に示すように、ナット５４を弛緩方向へ回転し、十字穴５３ａに電動ドライバー等の工具８を差し込んで調整ボルト５３を回転すると、調整ボルト５３に螺合した立上げ片５２ｄをボルト軸に沿ってスライドさせることができる。このとき、調整ボルト５３に抜止め部５３０を形成すると立上げ片５２ｄが調整ボルト５３の先端から脱落することを防止できる。
【００３１】
続いて、壁下地材の固定構造１の施工方法について説明する。まず、図１１（ａ）に示すように、周りに断熱ボード７を固定した柱材２に固定金具５を設置する。この設置は、嵌着部５１の切込み溝５１１の先端部分をフランジ２１の小口面に当接し、フランジ２１の小口面が切込み溝５１１の基端に当接するまでハンマ（図示しない）で嵌着部５１の第３板片５１ｃを打ち込んで固定金具５を柱材２に嵌着固定する。このとき先述したように、切込み溝５１１は、切込みの互いに対向する一対の端面５１２を切込みの基端から先端に向かって互いに近接する方向へ同一の角度αで傾斜させているので、ハンマで嵌着部５１を打ち込むと、切込み溝５１１の互いに対向する端面５１２が均一に変形しながらフランジ２１に嵌め込まれていく。したがって、一対の端面５１２のうちどちらか一方の端面５１２のみが大きく変形することがなく、固定金具５は、斜めに傾かずに安定した状態でフランジ２１に固定することができる。また、切込みの先端部分の幅Ｗ１をフランジ２１の板厚ｔよりも狭く形成し、切込みの基端部分の幅Ｗ２をフランジ２１の板厚ｔと略同一に形成しているので、切込み溝５１１の先端部分がフランジ２１を強固に挟着することができ、固定金具５の柱材２からの脱落を防止することができる。なお、固定金具５は、柱材２の長手方向へ一定の間隔を空けて柱材２に複数設置される。図示例では、固定金具５を柱材２の上端部及び中間部のみに設置してるが、下端部やその他の高さ位置に設置してもよい。
【００３２】
続いて、図１０及び図１１（ｂ）に示すように、断熱ボード７を押圧しながら壁下地材４の見込面４１を支持部５２の第２当接片５２ｅに当接するまで、壁下地材４を嵌め込み部５２１に嵌め込む。そして、室内側から第３当接片５２ｆのビス孔５２２にビス（図示しない）を挿入して壁下地材４を支持部５２にビス固定する。このとき、ビス孔５２２を細長な長孔としておけば、壁下地材４の内壁３の面内方向の位置を微調整することができる。
【００３３】
このように固定金具５に固定された壁下地材４は、図１０に示すように、調整ボルト５３を回転操作することによって内壁３の面外方向への出入を調整する。すなわち、ナット５４を弛緩方向へ回転し、工具８を十字穴５３ａに差し込んで調整ボルト５３を回転操作して、調整ボルト５３に螺合した立上げ片５２ｄ、及び支持部５２に嵌め込まれた壁下地材４を内壁３の面外方向へ延びるボルト軸に沿って所望する位置にスライドさせる。このとき、調整ボルト５３に抜止め部５３０を形成した場合は、立上げ片５２ｄが調整ボルト５３の先端から脱落することを防止できる。
【００３４】
柱材２の長手方向に複数設置された固定金具５をそれぞれ操作して壁下地材４の内壁３の面外方向への出入を調整した後、図１２に示すように、基礎Ｆの上部に床下地材Ｆ２を載置し、壁下地材４の下端部の室内側の側面及び床下地材Ｆ２の上面にＬアングル材９を当接してビス固定し、壁下地材４の設置を完了する。そして最後に、図１に示すように壁下地材４に内壁ボード材３１をビス固定し、内壁３を完成する。
【００３５】
このように形成される壁下地材の固定構造１は、柱材２を避けずに壁下地材４を設置することが可能であるとともに、柱材２に設置される断熱材７を途切れることなく連続して設置することができる。また、固定金具５は柱材２の長手方向へ一定の間隔を空けて複数設置されるので、壁下地材４の中間部で反りが生じても調整ボルト５３を回転操作することにより壁下地材４の内壁３の面外方向への出入を調整することができ、各所で生じた施工誤差を吸収しながら建ちや通りの調整された内壁３を容易に形成することができる。さらに、固定金具５の切込み溝５１１が、切込みの互いに対向する端面５１２を切込みの基端から先端に向かって互いに近接する方向へ同一の角度αで傾斜させているので、嵌着部５１をハンマで柱材２のフランジ２１に打ち込むと、どちらか一方の端面５１２のみが大きく変形することがなく、一対の端面５１２が均一に変形して固定金具５を安定した状態で柱材２に固定することができる。そして、嵌着部５１は、若干のバネ性を有する部材で形成されるので、弾性的にフランジ２１を挟むことができ、異なる厚さのフランジ２１にも嵌着することができる。
【００３６】
また、本発明の実施の形態は上述の形態に限ることなく、本発明の思想の範囲を逸脱しない範囲で適宜変更することができる。
【産業上の利用可能性】
【００３７】
この発明は、互いに直交するウェブ及びフランジを有するＨ形鋼で形成された柱材に内壁の壁下地材を固定する際に好適に使用することができる。
【符号の説明】
【００３８】
１        壁下地材の固定構造
２        柱材
２１      フランジ
２２      ウェブ
３        内壁
３１      内壁ボード材
４        壁下地材
５        固定金具
５１      嵌着部
５１１    切込み溝
５１２    端面
５２      支持部
５２１    嵌め込み部
５３      調整ボルト
５３０    抜止め部
α        角度
Ｗ１      切込みの先端部分の幅
Ｗ２      切込みの基端部分の幅
ｔ        フランジの板厚
Ｆ２      床下地材
【図１】
2019124060.tif 000003
【図２】
2019124060.tif 000004
【図３】
2019124060.tif 000005
【図４】
2019124060.tif 000006
【図５】
2019124060.tif 000007
【図６】
2019124060.tif 000008
【図７】
2019124060.tif 000009
【図８】
2019124060.tif 000010
【図９】
2019124060.tif 000011
【図１０】
2019124060.tif 000012
【図１１】
2019124060.tif 000013
【図１２】
2019124060.tif 000014
【図１３】
2019124060.tif 000015
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
互いに直交するフランジ及びウェブを有する形鋼で形成された柱材の前記フランジと、内壁の壁面を形成する内壁ボード材の裏側面に垂直方向に固定している長尺な壁下地材と、を固定金具で固定する壁下地材の固定構造であって、
前記固定金具は、矩形平板状の第１板片、当該第１板片の両端から略直角に同方向へ延出されて形成され、前記第１板片の前記両端に直交する側の一端部を切り欠いて形成することによって露出した部分に前記フランジに嵌着する切込み溝を設けた一対の第２板片、及び一対の当該第２板片の先端側同士を近接する方向へ折曲し、先端が離間するように形成された一対の第３板片と、を備えた嵌着部と、前記切込み溝と直交する方向に前記壁下地材を嵌め込んで支持する嵌め込み部を有する支持部と、前記嵌着部及び前記支持部を連結するとともに前記支持部に嵌め込んだ前記壁下地材の前記内壁の面外方向への出入を調整する調整ボルトと、を有し、
前記切込み溝は、前記第２板片の前記第３板片と反対側の一端から前記第３板片方向へ切込んで形成され、該切込み溝の互いに対向する一対の端面を切込みの基端から先端に向かって互いに近接する方向へ同一の角度で均一に傾斜させていることを特徴とする壁下地材の固定構造。
【請求項２】
前記切込み溝は、前記切込みの先端部分の幅を前記フランジの板厚よりも狭く形成し、前記切込みの基端部分の幅を前記フランジの板厚と略同一とすることを特徴とする請求項１に記載の壁下地材の固定構造。
【請求項３】
前記固定金具は、前記柱材の前記フランジの長手方向へ互いに間隔を空けて複数設置されることを特徴とする請求項１又は請求項２に記載の壁下地材の固定構造。
【請求項４】
前記調整ボルトは、ボルトの先端を前記第３板片側へ向けて前記第１板片及び前記支持部を連結しており、先端側の小口面に切込まれた十字形の十字穴が前記一対の第３板片の離間に位置するように配置されることを特徴とする請求項１から請求項３のいずれかに記載の壁下地材の固定構造。
【請求項５】
前記調整ボルトは、前記支持部の該調整ボルトからの脱落を防止する抜止め部を先端部に形成されることを特徴とする請求項１から請求項４のいずれかに記載の壁下地材の固定構造。
【請求項６】
請求項１から請求項５のいずれかに記載の固定金具を用いて、内壁の壁下地材をＨ形鋼で形成された柱材に固定する壁下地材の固定施工方法であって、
垂直方向へ長尺な前記壁下地材を前記ウェブと間隔を空けて配設し、前記嵌着部の前記切込み溝を前記フランジに嵌着して、前記壁下地材を前記支持部に嵌め込んで固定し、
前記調整ボルトを回転操作して前記支持部及び該支持部に嵌め込まれた前記壁下地材の前記内壁の面外方向への出入を調整した後に、
前記壁下地材の下端部を床下地材に固定することを特徴とする壁下地材の固定施工方法。
【手続補正２】
【補正対象書類名】明細書
【補正対象項目名】０００８
【補正方法】変更
【補正の内容】
【０００８】
本発明の第１の壁下地材の固定構造は、互いに直交するウェブ及びフランジを有する形鋼で形成された柱材の前記フランジと、内壁の壁面を形成する内壁ボード材の裏側面で垂直方向に固定している長尺な壁下地材と、を固定金具で固定する壁下地材の固定構造であって、前記固定金具は、矩形平板状の第１板片、当該第１板片の両端から略直角に同方向へ延出されて形成され、前記第１板片の前記両端に直交する側の一端部を切り欠いて形成することによって露出した部分に前記フランジに嵌着する切込み溝を設けた一対の第２板片、及び一対の当該第２板片の先端側同士を近接する方向へ折曲し、先端が離間するように形成された一対の第３板片と、を備えた嵌着部と、前記切込み溝と直交する方向に前記壁下地材を嵌め込んで支持する嵌め込み部を有する支持部と、前記嵌着部及び前記支持部を連結するとともに前記支持部に嵌め込んだ前記壁下地材の前記内壁の面外方向への出入を調整する調整ボルトと、を有し、前記切込み溝は、前記第２板片の前記第３板片と反対側の一端から前記第３板片方向へ切込んで形成され、該切込み溝の互いに対向する一対の端面を切込みの基端から先端に向かって互いに近接する方向へ同一の角度で均一に傾斜させていることを特徴としている。
【手続補正３】
【補正対象書類名】明細書
【補正対象項目名】００１１
【補正方法】変更
【補正の内容】
【００１１】
本発明の第４の壁下地材の固定構造は、前記調整ボルトが、ボルトの先端を前記第３板片側へ向けて前記第１板片及び前記支持部を連結しており、先端側の小口面に切込まれた十字形の十字穴が前記一対の第３板片の離間に位置するように配置されることを特徴としている。
【手続補正４】
【補正対象書類名】明細書
【補正対象項目名】００２６
【補正方法】変更
【補正の内容】
【００２６】
第２板片５１ｂは、図３に示すように、一端が第１板片５１ａよりも突出して形成されており、この突出した部分に前記第３板片５１ｃと反対の方向へ開く前記切込み溝５１１を設けている。この切込み溝５１１は、図９に示すように、切込みの互いに対向する端面５１２を切込みの基端から開放側の先端に向かって互いに近接する方向へ同一の角度αで傾斜させており、切込みの先端部分の幅Ｗ１を図１０に示すフランジ２１の板厚ｔよりも狭く形成し、また、基端部分の幅Ｗ２をフランジ２１の板厚ｔと略同一に形成している。そして、図６に示すように、一対の前記第３板片５１ｃは、その先端を互いに離間しており、離間した部分の隙間から調整ボルト５３を操作することができる。